(57)【要約】【課題】サブコネクタがフレームに対して斜めに組み付けられていても雄雌の端子金具を正規に嵌合接続可能なコネクタを提供する。【解決手段】雄サブコネクタ２０側に雄端子２２Ａより前方に長く延びる突出部６０を設け、雌サブコネクタ４０側に、雄端子金具２２と雌端子金具４２とが正規に嵌合接続できる状態で上記突出部６０が嵌入可能な凹部６３を設けている。従って、雄サブコネクタ２０及び雌コネクタ３０が異常姿勢にある状態のままで嵌合操作がされても、突出部６０と凹部６３との嵌り合いが雄雌の端子金具２２，４２同士の接触動作に先行してなされる。これにより、雄雌のサブコネクタ２０，４０が正規姿勢に矯正されるから、雄端子２２Ａの変形等を招くことなく各雄雌サブコネクタ２０，４０を正規に嵌合接続することができる。【選択図】  図７
2004349075.tif 000002
【特許請求の範囲】
【請求項１】
相互に嵌合可能な雌雄のコネクタのうち少なくとも一方のコネクタは、複数のサブコネクタとこれらサブコネクタを一括して収容可能なフレームとからなるものにおいて、
前記サブコネクタとその嵌合相手となるコネクタとのいずれか一方側の対向面には、嵌合方向に沿って突出部が突設され、他方側の対向面には前記フレームに対する前記サブコネクタの組付け姿勢を矯正しつつ前記突出部を嵌め入れ可能とする嵌入部が形成されるとともに、前記姿勢矯正動作が前記サブコネクタとその嵌合相手となるコネクタ内に収容されている雌雄の端子金具同士の接触動作に先行してなされるように構成されていることを特徴とするコネクタ。
【請求項２】
前記サブコネクタ及びその嵌合相手となる前記コネクタには、前記突出部と前記嵌入部とが個別に配されるとともに、これら突出部と嵌入部とは、前記サブコネクタとその嵌合相手となる前記コネクタとが正規の組み合わせである場合には、相互の嵌め入れ動作が許容されるが、正規でない組み合わせとなっている場合には干渉によって嵌め入れ動作が禁止されることを特徴とする請求項１記載のコネクタ。
【発明の詳細な説明】
【０００１】
【発明の属する技術分野】
本発明は、コネクタに関し、特に、雄雌のコネクタの少なくともいずれか一方が複数のサブコネクタをフレーム内に一括収容してなるコネクタに関する。
【０００２】
【従来の技術】
従来より、複数のコネクタをサブコネクタ化してこれらをフレーム内に一括して収容した、いわゆる分割コネクタと呼ばれるものが知られている。このものはフレーム内にサブコネクタを収容した状態で、相手側コネクタとの嵌合がなされる。
【０００３】
【特許文献１】
特開平７−８５９１２号公報
【０００４】
【発明が解決しようとする課題】
ところで、上述した分割コネクタにおいては、フレームの収容孔内にサブコネクタをそれぞれ収容可能とするために、通常、収容孔の内壁面とサブコネクタとの間にクリアランスが設けられている。従って、例えば、雄サブコネクタの後端に連なる電線に負荷がかかれば、その負荷のかかる方向に応じてフレーム内で雄サブコネクタが傾き、それに伴って雄端子金具の突出方向が変位してしまう。このことは、雄雌の分割コネクタ同士の嵌合過程で、雄端子金具の先端が雌端子金具へと正規に挿入されず、そこから外れた位置に突き当たって、雄端子金具を変形させてしまう原因となり得る。
【０００５】
なお、この問題の対応策として、例えば収容孔の内壁面またはサブコネクタの外周面にリブ等を設けて上記クリアランスを詰めることでサブコネクタの姿勢変位を規制する方法が考えられる。しかしながら、この方法では、収容孔にサブコネクタを挿入する際に大きな力が必要となり、それに伴ってフレーム等が変形するなどの問題が生じるため、有効な方法とはいえない。
【０００６】
本発明は、上記事情に鑑みてなされたもので、その目的は、サブコネクタがフレームに対して斜めに組み付けられていても雄雌の端子金具を正規に嵌合接続可能なコネクタを提供するところにある。
【０００７】
【課題を解決するための手段】
上記目的を達成するため、請求項１の発明に係るコネクタは、相互に嵌合可能な雌雄のコネクタのうち少なくとも一方のコネクタは、複数のサブコネクタとこれらサブコネクタを一括して収容可能なフレームとからなるものにおいて、前記サブコネクタとその嵌合相手となるコネクタとのいずれか一方側の対向面には、嵌合方向に沿って突出部が突設され、他方側の対向面には前記フレームに対する前記サブコネクタの組付け姿勢を矯正しつつ前記突出部を嵌め入れ可能とする嵌入部が形成されるとともに、前記姿勢矯正動作が前記サブコネクタとその嵌合相手となるコネクタ内に収容されている雌雄の端子金具同士の接触動作に先行してなされるように構成されているところに特徴を有する。
なお、上記発明でいう「嵌合相手となるコネクタの対向面」とは、嵌合相手となるコネクタも、複数のサブコネクタとこれらサブコネクタを一括して収容可能なフレームとからなる構成の場合には、これら各サブコネクタの前面となる。
【０００８】
請求項２の発明は、請求項１に記載のコネクタにおいて、前記サブコネクタ及びその嵌合相手となる前記コネクタには、前記突出部と前記嵌入部とが個別に配されるとともに、これら突出部と嵌入部とは、前記サブコネクタとその嵌合相手となる前記コネクタとが正規の組み合わせである場合には、相互の嵌め入れ動作が許容されるが、正規でない組み合わせとなっている場合には干渉によって嵌め入れ動作が禁止されるところに特徴を有する。
【０００９】
【発明の作用及び効果】
＜請求項１の発明＞
例えば、フレーム及びサブコネクタ間のクリアランスの存在によりサブコネクタの姿勢が、嵌合過程において雄雌の端子金具が正規に嵌合接続できない姿勢（以下、「異常姿勢」）になっている場合がある。そこで、本構成によれば、雄雌の端子金具同士の接触動作に先行して、サブコネクタ及びその嵌合相手のコネクタのうちの一方側に突設された突出部が、他方側に形成された嵌入部に嵌め入れられ、これに伴ってフレームに対するサブコネクタの組付け姿勢が矯正される。つまり、雄雌の端子金具同士の接触動作前に、サブコネクタの姿勢が、雄雌の端子金具が正規に嵌合可能な姿勢（以下、「正規姿勢」）に矯正されるのである。従って、サブコネクタがフレームに対し斜めに組み付けられていても、雄端子金具の変形等を防止しつつ雄雌の端子金具を正規に嵌合接続することが可能になる。
【００１０】
＜請求項２の発明＞
例えばフレーム内におけて複数のサブコネクタが誤って配置され、嵌合する際、サブコネクタとその嵌合相手となるコネクタとが正規の組み合わせになっていない場合がある。このような場合、本来嵌合接続すべきでない雄雌の端子金具同士が嵌合接続されてしまう。また、例えば複数のサブコネクタそれぞれの種類（端子の形状、数や位置など）が違うものであると、突出部が嵌入部に嵌入されてもやはり端子金具の変形等を招くことになる。
そこで、本構成によれば、サブコネクタ及びその嵌合相手となるコネクタに設けられた各突出部及び嵌入部は、そのサブコネクタとその嵌合相手となるコネクタとが正規の組み合わせである場合には、相互の嵌め入れ動作が許容されるが、正規でない組み合わせとなっている場合には干渉によって嵌め入れ動作が禁止される。従って、サブコネクタとその嵌合相手となるコネクタとが正規でない組み合わせとなっているにもかかわらずそのまま嵌合動作が進められて雄雌の端子金具の誤接続や端子金具の変形等を招くといった事態を未然に防止することができる。
【００１１】
【発明の実施の形態】
以下、本発明の一実施形態について図１ないし図８を参照しつつ説明する。
この実施形態のコネクタ１は、図１及び図２に示すように、互いに嵌合される雄コネクタ１０と雌コネクタ３０を備えており、雌コネクタ３０側に、雄コネクタ１０と雌コネクタ３０とを嵌合・離脱させるためのレバー５０が設けられた、いわゆるレバー式コネクタである。なお、以下の説明において、雄コネクタ１０及び雌コネクタ３０を嵌合させる方向を前方、離脱させる方向を後方として説明する。
【００１２】
１．コネクタの構造
（１）雄コネクタの構造
雄コネクタ１０は、雄用フレーム１１内に並べて形成された複数の収容孔３２内に、雄端子金具２２を備えた複数の雄サブコネクタ２０がそれぞれ挿入されてなる、分割型の構成（組付構造）となっている。
具体的には、雄用フレーム１１は、合成樹脂からなり全体として横長のブロック状をなし、その前側は断面矩形状に開放したフード部１３が形成されている。フード部１３の後側には、図３に示すように、各雄サブコネクタ２０をそれぞれ挿入可能なコネクタ収容部が形成され、その内部は幅方向に等間隔に配された仕切板によって前後方向に貫通した収容孔１２が５つ並んで形成されている。本実施形態では、各収容孔１２は、いずれも略同形をなし、５個の雄サブコネクタ２０のいずれも挿入可能となっている。
【００１３】
また、雄サブコネクタ２０を収容孔１２に挿入可能とするために、各雄サブコネクタ２０と収容孔１２の内壁面との間には全周にわたってクリアランスが設けられている。従って、各雄サブコネクタ２０は、収容孔１２内において上下左右いずれの方向にも傾動可能となっている。
なお、雄用フレーム１１の下面には、所定の設置箇所側に設けられた被係止部と係合して、コネクタ１をその設置箇所に保持固定するための係止部１４が設けられている。
【００１４】
各雄サブコネクタ２０は、図５にも示すように、合成樹脂からなり全体として箱状をなし、その内部には複数のキャビティ２１が形成されている。キャビティ２１には後方から雄端子金具２２が挿入されている。各雄端子金具２２は、先端にタブ２２Ａが形成され、雄サブコネクタ２０の前面２７（本発明の「対向面」に相当）から突出するとともに、後端に固着された電線２３が雄サブコネクタ２０の後端面から後方に導出されている。また、各雄端子金具２２はキャビティ２１の下壁に設けられた撓み可能なランス２４に弾性係止して抜け止めされている。
【００１５】
各雄サブコネクタ２０の上面の前端中央部にはロック突部２５が上向きに設けられている。一方、各収容孔１２の上面壁の前側には、上記各雄サブコネクタ２０のロック突部２５に対して弾性係止可能な係止片１５が形成されており、雄サブコネクタ２０が正規の深さまで挿入されると各ロック突部２５がそれぞれ係止片１５に対して係止し、雄用フレーム１１に対し雄サブコネクタ２０が抜け止め固定されるようになっている。
【００１６】
なお、本実施形態では、各雄サブコネクタ２０の上面における幅方向のいずれかの端部には、前後方向に延びるリブ２６が設けられている。一方、雄用フレーム１１の各収容孔１２の上面には、各雄サブコネクタ２０のリブ２６と対応した位置に、このリブ２６を収容可能な大きさの案内溝１６が収容孔１２の後端から前端手前まで延設されている。このリブ２６及び案内溝１６は、雄用フレーム１１に対する各雄サブコネクタ２０の誤組付け（上下逆挿入）を防止する役目を果たす。
【００１７】
（２）雌コネクタの構造
雌コネクタ３０は、上記雄コネクタ１０と同様、雌用フレーム３１内に並べて形成された複数の収容孔３２内に、雌端子金具４２を備えた複数の雌サブコネクタ４０がそれぞれ挿入されてなる、分割型の構成（組付構造）となっている。
具体的には、雌用フレーム３１は、合成樹脂からなり全体として上記雄用フレーム１１のフード部１３内に収容可能な横長のブロック状をなし、図４に示すように、その内部に幅方向に等間隔に配された仕切板によって各雌サブコネクタ４０をそれぞれ挿入可能に前後方向に貫通した収容孔３２が５つ並んで形成されている。本実施形態では、各収容孔３２は、いずれも略同形をなし、５個の雌サブコネクタ４０のいずれも挿入可能となっている。
また、雌サブコネクタ４０を収容孔３２に挿入可能とするために、各雌サブコネクタ４０と収容孔３２の内壁面との間には全周にわたってクリアランスが設けられている。従って、各雌サブコネクタ４０は、収容孔３２内において上下左右いずれの方向にも傾動可能となっている。
【００１８】
各雌サブコネクタ４０は、合成樹脂からなり全体として箱状をなし、その内部には複数のキャビティ４１が形成されている。キャビティ４１には後方から雌端子金具４２が挿入されるとともに、各雌端子金具４２の後端に固着された電線４３が雌サブコネクタ４０の後端面から後方に導出されている。また、各雌端子金具４２はキャビティ４１の下壁に設けられた撓み可能なランス４４に弾性係止して抜け止めされている。
【００１９】
また、各キャビティ４１の前端開口部は、前方に向うに連れて径大となるテーパ面が形成され、このテーパ面が雄端子金具２２のタブ２２Ａの誘い込み面４１Ａとして機能する。つまり、雄雌のサブコネクタ２０，４０が、各フレーム１１，３１内で多少傾いていても、その傾きが、雄端子金具２２のタブＡ先端が誘い込み面に当接する範囲内であれば、その誘い込み面の傾斜に沿って雄雌のサブコネクタ２０，４０の姿勢が矯正されて、タブ２２Ａをキャビティ４１内に挿入させて雌端子金具４２に嵌合接続できるようになっている（以下、このような誘い込み面４１Ａにより誘導可能な範囲内の傾きを有する姿勢を「正規姿勢」という）。
【００２０】
各雌サブコネクタ４０の上面の前側中央部にはロック突部４５が上向きに設けられている。一方、各収容孔３２の上面壁の前側には、上記各雌サブコネクタ４０のロック突部４５に対して弾性係止可能な係止片３５が形成されており、雌サブコネクタ４０が正規の深さまで挿入されると各ロック突部４５がそれぞれ係止片３５に対して係止し、雌用フレーム３１に対し雌サブコネクタ４０が抜け止め固定されるようになっている。
【００２１】
なお、本実施形態では、雄コネクタ１０側と同様、各雌サブコネクタ４０の上面における幅方向のいずれかの端部には、前後方向に延びるリブ４６が設けられている。一方、雌用フレーム３１の各収容孔３２の上面には、各雌サブコネクタ４０のリブ４６と対応した位置に、このリブ４６を収容可能な大きさの案内溝３６が収容孔３２の後端から前端手前まで延設されている。このリブ４６及び案内溝３６は、雌用フレーム３１に対する各雌サブコネクタ４０の誤組付け（上下逆挿入）を防止する役目を果たす。
【００２２】
（３）雄用フレームと雌用フレームとを嵌合・離脱させるための構造
本実施形態のコネクタ１は、雄コネクタ１０及び雌コネクタ３０のいずれか一方にカム面を備えて回動可能なレバーが設けられるとともに、他方にはフォロワがそれぞれ設けられ、上記レバーの回動に伴ってカム面とフォロワとの間のカム作用により雄コネクタ１０と雌コネクタ３０とが嵌合・離脱されるようになっている。
【００２３】
具体的には、本実施形態では、雌コネクタ３０側にレバー５０が装着されている。このレバー５０は、１対の板状をなすアーム部５１，５１（図１ではそのうちの雌用フレーム３１上面側のアーム部５１のみ図示）の基端同士が操作部５２で連結した門形状に形成されている。各アーム部５１の先端寄りの位置には、略円形の軸受け孔５２が貫通形成されるとともに、先端側の縁部にはカム溝５３が形成されている。レバー５０は、雌用フレーム３１を跨ぐように配されて、両軸受け孔５２，５２を雌用フレーム３１の上下面の後端中央部に突設された支持軸３７，３７にそれぞれ嵌めることで、支持軸３７，３７を中心として回動可能に支持されるようになっている。
【００２４】
また、各アーム部５１，５１の基端寄りの位置には、レバー５０の回動方向に沿って案内溝５４が形成されるとともに、雌用フレーム３１の後端右寄りの位置には上記案内溝５４内に位置する突起部３８が形成されており、これによりレバー５０は、図１に示す斜め姿勢となる初期位置と、そこから同図において時計回りに回動させて雌用フレーム３１の横方向に沿った横倒し姿勢となる終端位置との間で回動されるようになっている。
一方、雄用フレーム１１のフード部１３の上下内壁面には、レバー５０の各アーム部５１，５１のカム溝５３に嵌合可能な１対のフォロワピン１７，１７（図１ではフード部下壁面側のフォロワピン１７のみ図示）が対向して突設されている。
【００２５】
以上の構成により、レバー５０を初期位置にした状態で雌用フレーム３１を、雄用フレーム１１のフード部１３内に挿入していき、各カム溝５３，５３の開口端にフォロワピン１７，１７が位置した状態で、レバー５０を終端位置側に回動させる。すると、カム溝５３，５３とフォロワピン１７，１７との間のカム作用によって雌用フレーム３１がフード部１３内に引き寄せられる。そして、終端位置まで回動させて、レバー５０の操作部５２を、それに対応して雄用フレーム１１の一内側面に突出形成した係止凸部１８に係止することで、雄用フレーム１１と雌用フレーム３１とが嵌合状態にロックされる。
【００２６】
なお、本実施形態では、図１に示すように、各アーム部５１，５１の先端縁部には、各カム溝５３と対向するように片持ち状の弾性係止片５５がそれぞれ設けられている。この弾性係止片５５は、レバー５０が初期位置にあるときに、雌用フレーム３１の上下外面にそれぞれ突設されたストッパ突起部３９，３９に係止し、レバー５０が初期位置から回動しないようにする役目を果たす。一方、雄用フレーム１１の上下内壁面にはそれぞれ、雄用フレーム１１と雌用フレーム３１との嵌合過程において、上記弾性係止片５５の先端に当接する解除突起部１９がフォロワピン１７の横に設けられている。そして、カム溝５３の開口側手前にフォロワピン１７が位置したときから、弾性係止片５５は上記解除突起部１９によって後方に弾性変形する。これにより、弾性係止片５５とストッパ突起部３９との係止が解除されて、初めてレバー５０を終端位置側に回動できるようになっている。
【００２７】
（４）雄端子及び雌端子を正規に嵌合接続させるための構造
さて、本実施形態では、図５及び図６に示すように、雄サブコネクタ２０の前面２７には、タブ２２Ａの突出位置を避ける位置に扁平板状の突出部６０が形成されている。この突出部６０は、雄サブコネクタ２０におけるタブ２２Ａの突出長さよりも長く形成されている。一方、雌サブコネクタ４０の前面４７（本発明の「対向面」に相当）には、上記突出部６０に対応した位置にその突出部６０を嵌入可能な凹部６３が形成されている。突出部６０と凹部６３とは、雄雌のサブコネクタ２０，４０が上記正規姿勢にある状態で奥まで嵌入できるようになっている。
【００２８】
ここで、上述したように、雄雌のサブコネクタ２０，４０が多少傾いた正規姿勢であっても、雌サブコネクタ４０に設けられた誘い込み面４１Ａによって雄雌の端子金具２２，４２が互いに嵌合接続されるよう誘導されるようになっている。しかしながら、各サブコネクタ２０，４０とフレーム１１，３１との間の全周にわたるクリアランスによって、雄雌のサブコネクタ２０，４０が正規姿勢を超えて傾いた異常姿勢となって、雄端子金具２２のタブ２２Ａが誘い込み面４１Ａより外側に当接するような場合がある。
そこで、本実施形態では、突出部６０の前端は、その四辺に面取りが施され、先端へ向うに連れて細くなるテーパ部６１が形成されている。これにより、雄雌サブコネクタ２０，４０が異常姿勢となっていても、このテーパ部６１が凹部６０の開口部に係止可能となり、その傾斜に沿って突出部６０が凹部６３内へと案内され、これに伴って雄雌のサブコネクタ２０，４０の姿勢が上記正規姿勢に矯正されるようになっている。
【００２９】
また、本実施形態では、互いに対をなして嵌合接続される５組の雄サブコネクタ２０及び雌サブコネクタ４０は、図６に示す３種類のタイプに分かれている。各タイプは互いに雄雌端子金具２２，４４の数及び配置位置が異なっており、タイプの異なる雄サブコネクタ２０と雌サブコネクタ４０とでは正規に嵌合接続できないようになっている。つまり、本実施形態では、雄サブコネクタ２０及び雌サブコネクタ４０の組のタイプ別に、突出部６０及び凹部６３の幅（縦幅または横幅）及び配置位置が異なるように構成されている。
【００３０】
具体的には、図６（Ａ）のタイプ（以下、「タイプ１」）では、突出部６０Ａは、雄サブコネクタ２０Ａの前面２７において左右方向の一方端寄りの位置に配置され、凹部６３Ａは、対をなす雌サブコネクタ４０Ａの前面４７において上記突出部６０に対応した位置に配置されている。同図（Ｂ）のタイプ（以下、「タイプ２」）では、突出部６０Ｂは、上記タイプ１の突出部６０Ａとほぼ同じ横幅に形成され、雄サブコネクタ２０の前面２７において左右方向の他方端寄りの位置（タイプ１とは反対寄りの位置）に配置され、凹部６３Ｂは、対をなす雌サブコネクタ４０Ｂの前面４７において上記突出部６０Ｂに対応した位置に配置されている。同図（Ｃ）のタイプ（以下、「タイプ３」）では、突出部６０Ｃは、やはり上記タイプ１の突出部６０Ａとほぼ同じ横幅に形成され、雄サブコネクタ２０Ｃの前面２７において左右方向の略中央位置に配置され、凹部６３Ｃは、対をなす雌サブコネクタ４０Ｃの前面において上記突出部６０Ｃに対応した位置に配置されている。
【００３１】
２．本実施形態の作用
まず、図２に示すように、雄用フレーム１１内に５個の雄サブコネクタ２０を挿入して装着させるとともに、雌用フレーム３１内に５個の雌サブコネクタ４０を挿入して装着させる。次で、雌用フレーム３１を雄用フレーム１１のフード部１３内に嵌め合わせて、レバー５０のカム溝５３の開口端内に雄用フレーム１１のフォロワピン１７が収まる位置まで押し込む。ここで、例えば雄サブコネクタ２０に連なる電線２３が嵌合方向（前方方向）に対して横方向（同図では紙面上方向）の負荷を受けていると、収容孔１２内において雄サブコネクタ２０は後端側が上方に持ちあがり先端側が下方に下がるような姿勢になる。そして、タブ２２Ａの突出方向も嵌合方向に対して下方に傾いた方向となる。このとき、このままでは雄端子金具２２と雌端子金具４２とを正規に嵌合接続できない上記異常姿勢になったとする。
【００３２】
ところが、本実施形態では、この状態のままレバー５０を終端位置側へと回動させると、図７に示すように、タブ２２Ａよりも前方に延びる突出部６０の先端がタブ２２Ａよりも先に雌サブコネクタ４０の前面４７に当接する。このとき、雄サブコネクタ２０の傾きが所定範囲内であれば突出部６０先端のテーパ部６１が、雌サブコネクタ４０側の凹部６３の開口部に係止する。そのままレバー５０を更に終端位置側へと回動させると、雌用フレーム３１が雄用フレーム１１のフード部１３奥側へと引き寄せられるとともに、突出部６０が先端のテーパ部６１の傾斜に沿って凹部６３内へと導かれる。これにより雄サブコネクタ２０の姿勢も徐々に正規姿勢に戻される。例えばタブ２２Ａの先端が誘い込み面４１Ａに当接可能な姿勢に雄雌のサブコネクタ２０，４０の姿勢が矯正される。そして、更にレバー５０を終端位置側に回動させることで、誘い込み面４１によってタブ２２Ａがキャビティ４１内に案内されて、これにより雄端子金具２２と雌端子金具４２とを正規に嵌合接続させることができる（図８参照）。
【００３３】
３．本実施形態の効果
以上のように、本実施形態では、雄サブコネクタ２０側にタブ２２Ａより前方に長く延びる突出部６０を設け、雌サブコネクタ４０側に、雄端子金具２２と雌端子金具４２とが正規に嵌合接続できる状態で上記突出部６０が嵌入可能な凹部６３を設けている。従って、雄サブコネクタ２０及び雌コネクタ３０が異常姿勢にある状態のままで嵌合操作がされたとしても、突出部６０の方がタブ２２Ａよりも先に雌サブコネクタ４０の前面に当接することになるから、タブ２２Ａの変形等を防止することができる。
しかも、本実施形態では、突出部６０先端にテーパ部６１を設けたから、そのテーパ部６１の傾斜に沿って雄サブコネクタ２０を正規姿勢に案内させて、そのまま雄端子金具２２と雌端子金具４２とを正規に嵌合接続させることが可能になる。
【００３４】
また、本実施形態では、５組の雄サブコネクタ２０及び雌サブコネクタ４０に対してそれらのタイプ別に、突出部６０及び凹部６３の配置位置が異なるようにした。従って、雄雌サブコネクタ２０，４０を雄用及び雌用のフレーム１１，３１内に装着する際に、互いに異なる組の雄サブコネクタ２０と雌サブコネクタ４０とが対面するように誤って配置された場合、正規姿勢の状態であっても突出部６０と凹部６３とは干渉して互いに嵌入できず、これ以上のレバー５０の回動操作が規制される。従って、タイプの異なる雄サブコネクタ２０と雌コネクタ３０とを誤って嵌合させるといった事態を未然に防ぐことができる。
【００３５】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、突出部６０，７０を雄コネクタ１０側に設けて、凹部６３を雌コネクタ３０側に設けた構成としたが、これに限らず、突出部６０，７０を雌コネクタ３０側に、凹部６３を雄コネクタ１０側に設けた構成であってもよい。更に、雄雌のサブコネクタ２０，４０の複数の組のうち一部の組については雄サブコネクタ側に突出部を、雌サブコネクタ側に凹部をそれぞれ設ける一方で、他の組についてはその逆に突出部及び凹部を設ける構成であってもよい。
【００３６】
（２）上記実施形態では、雄コネクタ１０及び雌コネクタ３０のいずれもフレームと複数のサブコネクタとかなる分割式の構成としたが、これに限らず、雄雌コネクタのいずれか一方だけが上記分割式の構成であって、他方のコネクタは、例えば複数の端子金具が共通のハウジングに装着された構成であってもよい。
【００３７】
（３）上記実施形態では、１個ずつの雄サブコネクタ２０及び雌サブコネクタ４０が互いに嵌合接続される構成であったが、例えば１個の雄サブコネクタ２０に対して複数の雌サブコネクタ４０が嵌合接続される構成であってもよい。この場合には、各雌サブコネクタ４０と、雄サブコネクタ２０のうち各雌サブコネクタ４０との対面部分にそれぞれ突出部６０及び凹部６３を形成すればよい。なお、１個の雌サブコネクタ４０に対して複数の雄サブコネクタ２０が嵌合接続される構成の場合も同様である。
【００３８】
（４）本発明の「嵌入部」は、上記実施形態のような凹部６３（穴）である必要はなく、例えば、サブコネクタの側面において前端から後方へと延びる案内溝であってもよく、突出部６０を相手方コネクタにおいてこの案内溝に対応する位置に突設させた構成であってもよい。
（５）また、突出部６０及び嵌入部の形状は、断面矩形以外に、例えば断面円形、断面Ｌ字形や断面Ｃ字形等であってもよい。
【００３９】
（６）上記実施形態では、突出部６０先端にテーパ部６１を形成して突出部６０を凹部６３内に案内する構成としたが、これに限らず、突出部及び嵌入部（凹部）のうち少なくともいずれか一方に、サブコネクタが上記異常姿勢にある状態で前記突出部先端側を前記嵌入部に係合させるとともに、更に嵌合動作が進むに連れて突出部を嵌入部内へと案内するガイド手段であればよい。例えば凹部６３の開口側に、前方（突出部６０との対向方向）に向うに連れて径大となるテーパ部を形成した構成であってもよい。更には、突出部６０及び凹部６３にそれぞれテーパ部を設けた構成であれば、より確実に雄サブコネクタ２０及び雌サブコネクタ４０とを正規姿勢に導くことができる。
【００４０】
（７）また、上記実施形態では、上記ガイド手段に相当する機能（テーパ部６１）を、全ての組の雄雌のサブコネクタ２０，４０の突出部６０に設けた構成としたが、これに限らず、一部の組のサブコネクタ２０，４０の突出部６０にだけ設ける構成であってもよい。
（８）上記実施形態では、突出部６０はタブ２２Ａの突出長さよりも長く形成したが、これに限らず、雄雌の端子金具２２，４２の接触動作に先行して、突出部が嵌入部に嵌入されることによるサブコネクタの姿勢矯正動作（異常姿勢を正規姿勢に矯正する動作）が行われる構成であればよい。従って、例えば、雌サブコネクタ４０の前面４７にも凸部を突設し、その凸部の前端面に凹部（嵌入部）を形成した構成では、雄側の突出部６０は必ずしもタブ２２Ａの突出長さより長くなくてもよい。
（９）上記実施形態では、雄サブコネクタ２０及び雌サブコネクタ４０の組のタイプ別に、突出部６０及び凹部６３の配置位置が異なるように構成したが、正規の組をなさない雄サブコネクタと雌サブコネクタとが干渉して嵌め入れ動作が禁止できる構成であれば、例えば、突出部及び凹部の外形形状（例えば断面Ｕ字形、断面丸形、断面矩形、断面多角形など）や大きさが各組毎に異なるように構成してもよい。
【図面の簡単な説明】
【図１】本発明の一実施形態に係るコネクタ全体を示す上面図
【図２】嵌合前の雄コネクタ及び雌コネクタの断面図
【図３】雄用フレームの後面図
【図４】雌用フレームの後面図
【図５】雄サブコネクタの斜視図
【図６】雄サブコネクタ及び雌サブコネクタの各タイプの正面図
【図７】突出部が凹部に係止された状態を示す雄コネクタ及び雌コネクタの断面図
【図８】嵌合完了時の雄コネクタ及び雌コネクタの断面図
【符号の説明】
１…コネクタ
１０…雄コネクタ
１１…雄用フレーム
１２，３２…収容孔
２０（２０Ａ，２０Ｂ，２０Ｃ）…雄サブコネクタ
２２…雄端子金具
２７，４７…前面（対向面）
３０…雌コネクタ
３１…雌用フレーム
４０（４０Ａ，４０Ｂ，４０Ｃ）…雌サブコネクタ
４２…雌端子金具
６０（６０Ａ，６０Ｂ，６０Ｃ）…突出部
６１…テーパ部
６３（６３Ａ，６３Ｂ，６３Ｃ）…凹部（嵌入部）
【図１】
2004349075.tif 000003
【図２】
2004349075.tif 000004
【図３】
2004349075.tif 000005
【図４】
2004349075.tif 000006
【図５】
2004349075.tif 000007
【図６】
2004349075.tif 000008
【図７】
2004349075.tif 000009
【図８】
2004349075.tif 000010